(57)【要約】【課題】  ＩＭＥＩを暗号化させて第３者による盗難端末機の無断使用を防止することができ、新しいＩＭＥＩをライトできるＩＭＥＩ暗号化方法を提供することにある。  【解決手段】 移動通信端末機の暗号化方法は、第１のＡＴ命令を入力される段階と、前記第１のＡＴ命令が入力されると、第１の保安コードを生成する段階と、前記第１ＡＴ命令に含まれた第１のＩＭＥＩ及び前記生成された第１の保安コードを貯蔵する第１貯蔵段階と、第２のＡＴ命令が入力されると、予め貯蔵された前記第１の保安コードと前記第２のＡＴ命令に含まれた第２の保安コードを比較する段階と、前記第１の保安コードと第２の保安コードが一致すると、第２の保安コードを再生成する段階と、前記第２のＡＴ命令に含まれた第２のＩＭＥＩ及び前記再生成された第２の保安コードを貯蔵する第２貯蔵段階と、からなる。  【選択図】    図１
2005253085.tif 000002
【特許請求の範囲】
【請求項１】
装置番号の入力命令を入力される段階と、
前記入力命令が入力されると、保安コードを生成する段階と、
前記生成された保安コードを利用して前記装置番号を暗号化して貯蔵する段階と、
からなることを特徴とする移動通信端末機の暗号化方法。
【請求項２】
前記装置番号は、ＩＭＥＩを含むことを特徴とする請求項１に記載の移動通信端末機の暗号化方法。
【請求項３】
前記保安コードは、前記入力命令が装置番号ライト命令である場合のみに生成されることを特徴とする請求項１に記載の移動通信端末機の暗号化方法。
【請求項４】
前記保安コードは、端末機に貯蔵されることを特徴とする請求項１に記載の移動通信端末機の暗号化方法。
【請求項５】
前記貯蔵された保安コードは、装置番号ライトプログラムに出力されることを特徴とする請求項４に記載の移動通信端末機の暗号化方法。
【請求項６】
第１の装置番号の入力命令を入力される段階と、
前記入力命令が入力されると、第１の保安コードを生成する段階と、
前記生成された第１の保安コードを利用して前記第１の装置番号を暗号化して貯蔵する第１貯蔵段階と、
第２の装置番号の入力命令が入力されると、予め貯蔵された前記第１の保安コードと前記第２の装置番号の入力命令に含まれた第２の保安コードを比較する段階と、
前記第１の保安コードと第２の保安コードが一致すると、第２の保安コードを再生成する段階と、
前記再生成された第２の保安コードを利用して前記第２の装置番号を暗号化して貯蔵する第２貯蔵段階と、
からなることを特徴とする移動通信端末機の暗号化方法。
【請求項７】
前記第１及び第２の装置番号は、ＩＭＥＩを含むことを特徴とする請求項６に記載の移動通信端末機の暗号化方法。
【請求項８】
前記再生成される第２の保安コードは、前記第２の装置番号の入力命令が装置番号ライト命令である場合のみに再生成される請求項６に記載のことを特徴とする移動通信端末機の暗号化方法。
【請求項９】
前記第１及び第２の保安コードは、端末機に貯蔵されることを特徴とする請求項６に記載の移動通信端末機の暗号化方法。
【請求項１０】
前記第１及び第２の保安コードは、装置番号ライトプログラムに出力されることを特徴とする請求項９に記載の移動通信端末機の暗号化方法。
【請求項１１】
前記出力された第１の保安コードは、前記第１の装置番号以後に入力される第２の装置番号に含まれて入力されることを特徴とする請求項１０に記載の移動通信端末機の暗号化方法。
【請求項１２】
前記出力された第２の保安コードは、前記第２の装置番号以後に入力される装置番号に含まれて入力されることを特徴とする請求項１０に記載の移動通信端末機の暗号化方法。
【請求項１３】
前記第１及び第２貯蔵段階は、前記貯蔵された第１及び第２の保安コードを出力する段階をさらに含むことを特徴とする請求項９に記載の移動通信端末機の暗号化方法。
【請求項１４】
前記第２の装置番号は、前記第１の装置番号以後に入力されることを特徴とする請求項９に記載の移動通信端末機の暗号化方法。
【請求項１５】
前記第１の保安コードと第２の保安コードが一致しないと、前記第２の装置番号と関連して何らの動作も遂行されないことを特徴とする請求項９に記載の移動通信端末機の暗号化方法。
【発明の詳細な説明】
【技術分野】
【０００１】
本発明は、移動通信端末機に関し、特に、ＧＳＭ(Global System for Mobile Communications)端末機におけるＩＭＥＩ(internationalMobile Equipment Identification)暗号化方法に関する。
【背景技術】
【０００２】
一般的に、ＧＳＭ(GlobalSystem for Mobile)端末機は、ＳＩＭ(Ｓubscriber Identity Module)カードを使用して国際ローミングサービス(internationalroaming service)を支援する。前記ＳＩＭカードは、個人の移動性を提供するための一種のスマートカードで、使用者は、ＳＩＭカードを利用して自分の端末機でない他の端末機を利用して通信を遂行することができる。
【０００３】
国際ローミングサービスを提供するために、ＧＳＭ端末機(以下、端末機と称する)は、使用者を認証するためのＩＭＳＩ(International Mobile SubscriberIdentity)と個人の移動性を保障するためのＩＭＥＩ(International Mobile Equipment Identity)を有する。この場合、前記ＩＭＳＩは、ＳＩＭカードに貯蔵され、各端末機の装置番号(equipment identity)であるＩＭＥＩは、フラッシュメモリに貯蔵される。
【０００４】
図２は、従来技術によるＧＳＭ端末機のＩＭＥＩを貯蔵する方法を示すフローチャートである。
【０００５】
図２に示すように、現在ＩＭＥＩは、ＩＭＥＩツール(tool)、例えば、ＰＣ(personal computer)のＩＭＥＩライトプログラムを通した簡単なＡＴ命令(attention command)により容易にライト(write)することができる。
【０００６】
例えば、端末機の製造社は、ＰＣのＩＭＥＩライトプログラムを利用してＩＭＥＩが含まれたＡＴ命令を端末機に入力する(Ｓ１１０)。前記ＡＴ命令が端末機に入力されると、端末機のＭＳＭ(Mobile Station Modem)は、ＩＭＥＩライトプログラムから入力されたＡＴ命令がＩＭＥＩライト命令であるか否かをチェックし(Ｓ１２０)、該入力されたＡＴ命令がＩＭＥＩライト命令である場合、前記ＡＴ命令に含まれたＩＭＥＩをフラッシュメモリに貯蔵する(Ｓ１３０)。
【０００７】
このように、国際ローミングサービスを支援する各端末機は、個人の移動性を保障するためのＩＭＥＩをフラッシュメモリに貯蔵し、移動通信事業者は、フラッシュメモリに記録されたＩＭＥＩを利用して盗難された端末機を追跡する。
【０００８】
しかしながら、現在ＩＭＥＩに対する暗号化機能がうまく遂行されないため、第３者が盗難された端末機にＩＭＥＩを再びライトして使用する場合は、該当端末機に対する追跡が難しい。
【０００９】
従って、このような第３者による盗難端末機の無断使用を防止するために、端末機の製造社は、ハードウェア的なＩＭＥＩ暗号化方法を使用している。しかしながら、ハードウェア的なＩＭＥＩ暗号化方法は、第３者による盗難端末機の不法使用を効果的に防止することはできるが、一般の使用者がサービスを要請した場合は、新しいＩＭＥＩの付与が全く不可能であるため、やむをえず端末機自体を交替するか、または、端末機の製造工場でボードを交替しなければならないという問題点があった。
【発明の開示】
【発明が解決しようとする課題】
【００１０】
本発明の目的は、ＩＭＥＩを暗号化させて第３者による盗難端末機の無断使用を防止できるＩＭＥＩ暗号化方法を提供することにある。
本発明の他の目的は、新しいＩＭＥＩをライトできるＩＭＥＩ暗号化方法を提供することにある。   
【課題を解決するための手段】
【００１１】
このような目的を達成するための本発明による移動通信端末機の暗号化方法は、第１のＡＴ命令を入力される段階と、前記第１のＡＴ命令が入力されると、第１の保安コードを生成する段階と、前記第１ＡＴ命令に含まれた第１のＩＭＥＩ及び前記生成された第１の保安コードを貯蔵する第１貯蔵段階と、第２のＡＴ命令が入力されると、予め貯蔵された前記第１の保安コードと前記第２のＡＴ命令に含まれた第２の保安コードを比較する段階と、前記第１の保安コードと第２の保安コードが一致すると、第２の保安コードを再生成する段階と、前記第２のＡＴ命令に含まれた第２のＩＭＥＩ及び前記再生成された第２の保安コードを貯蔵する第２貯蔵段階と、からなることを特徴とする。
【００１２】
望ましく、前記端末機は、貯蔵された保安コードをＩＭＥＩライトプログラムに出力することを特徴とする。
【００１３】
望ましく、前記第２のＡＴ命令は、前記第１のＡＴ命令以後に入力される次のＩＭＥＩライト命令であることを特徴とする。
【００１４】
従って、本発明は、以下を提供する。
【００１５】
（１）装置番号の入力命令を入力される段階と、
前記入力命令が入力されると、保安コードを生成する段階と、
前記生成された保安コードを利用して前記装置番号を暗号化して貯蔵する段階と、
からなることを特徴とする移動通信端末機の暗号化方法。
【００１６】
（２）前記装置番号は、ＩＭＥＩを含むことを特徴とする請求項１に記載の移動通信端末機の暗号化方法。
【００１７】
（３）前記保安コードは、前記入力命令が装置番号ライト命令である場合のみに生成されることを特徴とする請求項１に記載の移動通信端末機の暗号化方法。
【００１８】
（４）前記保安コードは、端末機に貯蔵されることを特徴とする請求項１に記載の移動通信端末機の暗号化方法。
【００１９】
（５）前記貯蔵された保安コードは、装置番号ライトプログラムに出力されることを特徴とする請求項４に記載の移動通信端末機の暗号化方法。
【００２０】
（６）第１の装置番号の入力命令を入力される段階と、
前記入力命令が入力されると、第１の保安コードを生成する段階と、
前記生成された第１の保安コードを利用して前記第１の装置番号を暗号化して貯蔵する第１貯蔵段階と、
第２の装置番号の入力命令が入力されると、予め貯蔵された前記第１の保安コードと前記第２の装置番号の入力命令に含まれた第２の保安コードを比較する段階と、
前記第１の保安コードと第２の保安コードが一致すると、第２の保安コードを再生成する段階と、
前記再生成された第２の保安コードを利用して前記第２の装置番号を暗号化して貯蔵する第２貯蔵段階と、
からなることを特徴とする移動通信端末機の暗号化方法。
【００２１】
（７）前記第１及び第２の装置番号は、ＩＭＥＩを含むことを特徴とする請求項６に記載の移動通信端末機の暗号化方法。
【００２２】
（８）前記再生成される第２の保安コードは、前記第２の装置番号の入力命令が装置番号ライト命令である場合のみに再生成される請求項６に記載のことを特徴とする移動通信端末機の暗号化方法。
【００２３】
（９）前記第１及び第２の保安コードは、端末機に貯蔵されることを特徴とする請求項６に記載の移動通信端末機の暗号化方法。
【００２４】
（１０）前記第１及び第２の保安コードは、装置番号ライトプログラムに出力されることを特徴とする請求項９に記載の移動通信端末機の暗号化方法。
【００２５】
（１１）前記出力された第１の保安コードは、前記第１の装置番号以後に入力される第２の装置番号に含まれて入力されることを特徴とする請求項１０に記載の移動通信端末機の暗号化方法。
【００２６】
（１２）前記出力された第２の保安コードは、前記第２の装置番号以後に入力される装置番号に含まれて入力されることを特徴とする請求項１０に記載の移動通信端末機の暗号化方法。
【００２７】
（１３）前記第１及び第２貯蔵段階は、前記貯蔵された第１及び第２の保安コードを出力する段階をさらに含むことを特徴とする請求項９に記載の移動通信端末機の暗号化方法。
【００２８】
（１４）前記第２の装置番号は、前記第１の装置番号以後に入力されることを特徴とする請求項９に記載の移動通信端末機の暗号化方法。
【００２９】
（１５）前記第１の保安コードと第２の保安コードが一致しないと、前記第２の装置番号と関連して何らの動作も遂行されないことを特徴とする請求項９に記載の移動通信端末機の暗号化方法。
【発明の効果】
【００３０】
本発明による移動通信端末機のＩＭＥＩ暗号化方法は、ソフトウェア暗号化アルゴリズムを適用してＩＭＥＩを端末機に貯蔵することで、盗難端末機に対する不法なＩＭＥＩの変更を防止すると共に、認証された正常使用者のみに対してＩＭＥＩが変更可能になるので、使用者の便宜性が向上し、端末機変更による付加費用の発生が防止されるという効果がある。
【発明を実施するための最良の形態】
【００３１】
以下、図面を参照して本発明の望ましい実施形態を説明する。
【００３２】
本発明の基本概念は、端末機にＩＭＥＩを暗号化した後に貯蔵することで、認証された正常使用者のみが新しいＩＭＥＩを変更可能にすることである。
【００３３】
図１は、本発明の実施形態による移動通信端末機のＩＭＥＩ暗号化方法を示すフローチャートである。
【００３４】
以下、図１を参照して、本発明による移動通信端末機のＩＭＥＩを暗号化アルゴリズムを適用して貯蔵する方法を詳細に説明する。
【００３５】
製造社でＩＭＥＩを端末機に最初に入力する場合、端末機が保安コード(security code)をチェックしないので、製造社は保安コードが含まれていないＩＭＥＩを入力してもかまわない。しかしながら、入力されたＩＭＥＩが最初のＩＭＥＩ入力でないと、保安コードなしではＩＭＥＩを貯蔵することができないため、製造社では、必ず以前のＩＭＥＩを入力する時に生成された保安コードをＡＴ命令に含めて入力すべきである。
【００３６】
本発明では、最初に入力されるＩＭＥＩを第１のＩＭＥＩと称し、前記第１のＩＭＥＩの以後に入力されるＩＭＥＩを第２のＩＭＥＩと称する。
【００３７】
端末機の製造社において、第１のＩＭＥＩが含まれたＡＴ命令をＰＣのＩＭＥＩライトプログラムを利用して端末機に入力した場合(Ｓ２１０)、まず、前記端末機のＭＳＭ(Mobile Station Modem)は、ＰＣのＩＭＥＩライトプログラムから入力されたＡＴ命令がＩＭＥＩライト命令であるか否かをチェックし(Ｓ２２０)、該入力されたＡＴ命令がＩＭＥＩライト命令であると、さらに、最初のＩＭＥＩ入力であるか否かを判断する(Ｓ２３０)。
【００３８】
前記判断過程で、入力されるＩＭＥＩが第１のＩＭＥＩである場合(Ｓ２３０)、即ち、最初に第１のＩＭＥＩが含まれた第１のＡＴ命令が入力された場合は、端末機に内蔵された暗号化アルゴリズムを利用して第１の保安コードを生成し(Ｓ２４０)、該生成された第１の保安コード及び第１のＩＭＥＩをフラッシュメモリに貯蔵する(Ｓ２５０)。このとき、端末機は、前記フラッシュメモリに貯蔵された前記第１の保安コードをＰＣのＩＭＥＩライトプログラムに出力する(Ｓ２９０)。後で第２のＩＭＥＩが含まれた第２のＡＴ命令を入力しようとする場合、前記第２のＡＴ命令には前記第２のＩＭＥＩ及びＩＭＥＩライトプログラムに出力された前記第１の保安コードが含まれて入力される。このように、前記出力された第１の保安コードが第１のＡＴ命令の以後に入力される第２のＡＴ命令に含まれて端末機に入力される場合、本発明では、前記出力された第１の保安コードを第２の保安コードと称する。
【００３９】
この後、前記第１のＩＭＥＩが予め入力されている端末機に第２のＩＭＥＩを入力する場合、即ち、端末機に予め保安コードが貯蔵されている場合、前記ＩＭＥＩライトプログラムは、第１のＩＭＥＩを入力する時に出力された前記第２の保安コード値及び入力しようとする第２のＩＭＥＩが含まれたＡＴ命令を入力する(Ｓ２１０)。そうすると、端末機は、入力されたＡＴ命令がＩＭＥＩライト命令であるか否かをチェックし(Ｓ２２０)、前記端末機に貯蔵された第１の保安コードと第２のＩＭＥＩと共に入力される第２の保安コードが一致するか否かを比較する(Ｓ２６０)。
【００４０】
前記比較過程で、前記第２のＩＭＥＩと共に入力された前記第２の保安コードと端末機内に予め貯蔵された前記第１の保安コードが異なる場合、即ち、第２のＩＭＥＩを不法的に入力しようとする場合、端末機は、前記第２のＩＭＥＩの入力と関連して何らの命令も遂行せずに終了される。しかしながら、前記第２のＩＭＥＩと共に入力された前記第２の保安コードと端末機内に貯蔵された前記第１の保安コードが同一である場合、即ち、正常に端末機の製造社が第２のＩＭＥＩを入力する場合、端末機は、内蔵された暗号化アルゴリズムを利用して新しい第２の保安コードを再生成し(Ｓ２７０)、前記再生成された第２の保安コード及び前記第２のＩＭＥＩをフラッシュメモリに貯蔵する(Ｓ２８０)。この後、前記端末機は、再生成された前記第２の保安コードをＰＣのＩＭＥＩライトプログラムに出力する(Ｓ２９０)。
【００４１】
このような過程により抽出された保安コードは、端末機の外部では知ることができない。予め書き込んでおいたＩＭＥＩを変更するか、読み込もうとする場合は、必ず前記保安コードを知るべきであり、保安コードを知らない場合は、何らの動作も遂行されない。
【００４２】
製造段階で、最初にＩＭＥＩを入力する過程で問題が発生した場合、新しいＩＭＥＩをまたライトするためには専用装備が必要であり、該当装備によって調整(calibration)を実行した後、ＩＭＥＩを再び入力することができる。
【００４３】
従って、従来では、正常使用者のアフターサービス要請によりＩＭＥＩを変更しようとする場合も、ハードウェア自体を交替しなければならなかったが、本発明では、正常使用者として認証された場合に対してソフトウェア的にＩＭＥＩを変更することが可能であるため、端末機を交替しなくても構わない。よって、端末機の交替による付加費用を節減することができる。
【００４４】
本発明は、ソフトウェア、ハードウェアまたはこれらの組み合わせによって具現できる。例えば、本発明による移動通信端末機(user equipment: ＵＥ)のコーディング方法は、貯蔵媒体(例えば、ＵＥの内部メモリ、フラッシュメモリなど)に貯蔵されることができ、且つ、プロセッサ(例えば、ＵＥ内のマイクロプロセッサ)によって実行できるソフトウェアプログラム内にコードまたは指示として具現されることができる。
【００４５】
（発明の要旨）
ＩＭＥＩを暗号化させて第３者による盗難端末機の無断使用を防止することができ、新しいＩＭＥＩをライトできるＩＭＥＩ暗号化方法を提供することにある。移動通信端末機の暗号化方法は、第１のＡＴ命令を入力される段階と、前記第１のＡＴ命令が入力されると、第１の保安コードを生成する段階と、前記第１ＡＴ命令に含まれた第１のＩＭＥＩ及び前記生成された第１の保安コードを貯蔵する第１貯蔵段階と、第２のＡＴ命令が入力されると、予め貯蔵された前記第１の保安コードと前記第２のＡＴ命令に含まれた第２の保安コードを比較する段階と、前記第１の保安コードと第２の保安コードが一致すると、第２の保安コードを再生成する段階と、前記第２のＡＴ命令に含まれた第２のＩＭＥＩ及び前記再生成された第２の保安コードを貯蔵する第２貯蔵段階と、からなる。
【図面の簡単な説明】
【００４６】
【図１】本発明による移動通信端末機のＩＭＥＩ暗号化方法を示すフローチャートである。
【図２】従来技術によるＧＳＭ端末機のＩＭＥＩを貯蔵する方法を示すフローチャートである。
【図１】
2005253085.tif 000003
【図２】
2005253085.tif 000004